(57)【要約】【課題】情報記録媒体に光ディスクを用いるアーカイブ装置において、所望の再生品質を得るために再生レーザパワーを上げて再生を行うと光ディスクの記録膜特性の劣化を促進させ、前記アーカイブ装置に記録される情報の信頼性が損なわれる。【解決手段】情報記録媒体において、第１の情報記録媒体を第１の再生レーザパワーで再生して、再生中に得られる第１の情報記録媒体品質評価値が予め定めた品質基準値を上回る場合には、第２の再生レーザパワーを用いて前記第１の情報記録媒体に記録される全てのデータの再生し、第２の情報記録媒体に前記再生した全てのデータを記録して複製を生成する【選択図】  図１
2013222470.tif 000002
【特許請求の範囲】
【請求項１】
複数の情報記録媒体に情報の記録および再生が可能な情報記録再生装置であって、
前記情報記録媒体にレーザを照射して情報の記録および再生可能で、かつ再生中に情報記録媒体の品質をあらわす値である情報記録媒体品質評価値を測定可能である複数の情報記録再生ドライブと、
前記情報記録媒体品質評価値の結果に応じて前記情報記録再生ドライブの再生時の再生レーザパワーを制御可能な情報記録媒体品質監視部と、を有し、
前記情報記録再生ドライブは、第１の情報記録媒体を第１の再生レーザパワーで再生して、前記再生中に取得可能な第１の情報記録媒体品質評価値を前記情報記録媒体品質監視部に供給し、
前記情報記録媒体品質監視部は前記第１の情報記録媒体品質評価値と予め定めた品質基準値を比較して、前記第１の情報記録媒体品質評価値が前記品質基準値よりも悪品質であれば、
前記情報記録媒体品質監視部は、前記情報記録再生ドライブが前記第１の情報記録媒体品質評価値よりも良質な品質を示す第２の情報記録媒体品質評価値を再生可能な第２の再生レーザパワーで前記第１の情報記録媒体に記録されるデータを再生し、第２の情報記録媒体に前記第２の再生レーザパワーを用いて再生したデータを記録して複製を生成するように前記情報記録再生ドライブに制御信号を供給し、
前記情報記録再生ドライブは、前記情報記録媒体品質監視部の制御信号に従って、前記第１の情報記録媒体に記録されるデータを前記第２の再生レーザパワーを用いて再生して、前記第２の再生レーザパワーを用いて再生したデータを前記第２の情報記録媒体に記録して複製を生成することを特徴とする情報記録再生装置。
【請求項２】
請求項１記載の情報記録再生装置であって、
前記情報記録媒体品質監視部は前記第１の情報記録媒体品質評価値と予め定めた品質基準値を比較し、
前記第１の情報記録媒体品質評価値が前記品質基準値よりも悪品質であれば、前記第２の再生レーザパワーと予め定めた再生レーザパワー限界値を比較し、
前記第２の再生レーザパワーが前記再生レーザパワー限界値を下回っていれば、
前記情報記録媒体品質監視部は、前記情報記録再生ドライブが第２の再生レーザパワーを用いて前記第１の情報記録媒体の再生を行うように前記情報記録再生ドライブに制御信号を供給し、
前記情報記録再生ドライブは、前記情報記録媒体品質監視部の制御信号に従って、第１の情報記録媒体の再生を実行して、
前記第２の再生レーザパワーが前記再生レーザパワー限界値を上回っていれば、
前記情報記録媒体品質監視部は、前記情報記録再生ドライブが前記第２の再生レーザパワーで前記第１の情報記録媒体に記録されるデータを再生し、前記第２の情報記録媒体に前記第２の再生レーザパワーを用いて再生したデータを記録して複製を生成するように前記情報記録再生ドライブに制御信号を供給し、
前記情報記録再生ドライブは、前記情報記録媒体品質監視部の制御信号に従って、前記第１の情報記録媒体に記録されるデータを前記第２の再生レーザパワーを用いて再生して、前記第２の再生レーザパワーを用いて再生したデータを前記第２の情報記録媒体に記録して複製を生成することを特徴とする情報記録再生装置。
【請求項３】
請求項１または請求項２記載の情報記録再生装置であって、
前記第２の情報記録媒体で複製を生成した後は、前記第１の情報記録媒体への記録または再生を禁止することを特徴とする情報記録再生装置。
【請求項４】
請求項１記載の情報記録再生装置であって、
前記第２の再生レーザパワーは、前記第１の再生レーザパワーよりも大きいことを特徴とする情報記録再生装置。
【請求項５】
複数の情報記録媒体に情報の記録および再生が可能な情報記録再生方法であって、
第１の情報記録媒体を第１の再生手段で再生するステップと、
前記再生中に取得可能な第１の情報記録媒体品質評価値と予め定めた品質基準値を比較するステップと、
前記第１の情報記録媒体品質評価値が前記品質基準値よりも悪品質であれば、前記第１の情報記録媒体品質評価値よりも良質な品質を示す第２の情報記録媒体品質評価値を再生可能な第２の再生手段で前記第１の情報記録媒体に記録されるデータを再生し、第２の情報記録媒体に前記再生した第２の再生手段でデータを記録して複製を生成するステップと、
有することを特徴とする情報記録再生方法。
【請求項６】
請求項５記載の情報記録再生方法であって、
前記比較するステップにおいて、前記第１の情報記録媒体品質評価値が前記品質基準値よりも悪品質であれば、第２の再生手段を予め定めた再生手段限界条件に照らし合わせるステップと、を有し、
前記第２の再生手段が前記再生手段限界条件を満たしていれば、前記比較後は第２の手段を用いて前記第１の情報記録媒体の再生を行い、
前記第２の再生手段が前記再生手段限界条件を満たしていなければ、前記第２の再生手段で前記第１の情報記録媒体に記録された全てのデータを再生し、
前記第２の情報記録媒体に前記第２の再生手段で再生したデータを記録して複製を生成することを特徴とする情報記録再生方法。
【請求項７】
請求項５または請求項６記載の情報記録再生方法であって、
前記題２の情報記録媒体で複製を生成した後は、前記第１の情報記録媒体への記録または再生を禁止することを特徴とする情報記録再生方法。
【請求項８】
複数の情報記録再生装置とサーバよりなる情報記録再生システムであって、
前記サーバは、複数の情報記録再生装置と接続可能であり、情報記録媒体品質監視部を有し、
前記情報記録再生装置は、前記情報記録媒体にレーザを照射して情報の記録および再生可能で、かつ再生中に情報記録媒体の品質をあらわす値である情報記録媒体品質評価値を測定可能な複数の情報記録再生ドライブを有し、
前記情報記録再生ドライブは、第１の情報記録媒体を第１の再生レーザパワーで再生して、前記再生中に取得可能な第１の情報記録媒体品質評価値を前記情報記録媒体品質監視部に供給し、
前記情報記録媒体品質監視部は前記第１の情報記録媒体品質評価値と予め定めた品質基準値を比較して、前記第１の情報記録媒体品質評価値が前記品質基準値よりも悪品質であれば、
前記情報記録媒体品質監視部は、前記情報記録再生ドライブが前記第１の情報記録媒体品質評価値よりも良質な品質を示す第２の情報記録媒体品質評価値を再生可能な第２の再生レーザパワーで前記第１の情報記録媒体に記録されるデータを再生し、第２の情報記録媒体に前記第２の再生レーザパワーを用いて再生したデータを記録して複製を生成するように前記情報記録再生ドライブに制御信号を供給し、
前記情報記録再生ドライブは、前記情報記録媒体品質監視部の制御信号に従って、前記第１の情報記録媒体に記録されるデータを前記第２の再生レーザパワーを用いて再生して、前記第２の再生レーザパワーを用いて再生したデータを第２の情報記録媒体に記録して複製を生成することを特徴とする情報記録再生システム。
【請求項９】
請求項８記載の情報記録再生システムであって、
前記情報記録媒体品質監視部は、前記第１の情報記録媒体品質評価値と予め定めた品質基準値を比較し、
前記第１の情報記録媒体品質評価値が前記品質基準値よりも悪品質であれば、前記第２の再生レーザパワーと予め定めた再生レーザパワー限界値を比較し、
前記第２の再生レーザパワーが前記再生レーザパワー限界値を下回っていれば、
前記情報記録媒体品質監視部は、前記情報記録再生ドライブが第２の再生レーザパワーを用いて前記第１の情報記録媒体の再生を行うように前記情報記録再生ドライブに制御信号を供給し、
前記情報記録再生ドライブは前記情報記録媒体品質監視部の制御信号に従って、第１の情報記録媒体の再生を実行して、
前記第２の再生レーザパワーが前記再生レーザパワー限界値を上回っていれば、
前記情報記録媒体品質監視部は、前記情報記録再生ドライブが前記第２の再生レーザパワーで前記第１の情報記録媒体に記録されるデータを再生し、前記第２の情報記録媒体に前記第２の再生レーザパワーを用いて再生したデータを記録して複製を生成するように前記情報記録再生ドライブに制御信号を供給し、
前記情報記録再生ドライブは、前記情報記録媒体品質監視部の制御信号に従って、前記第１の情報記録媒体に記録されるデータを第２の再生レーザパワーを用いて再生して、前記第２の再生レーザパワーを用いて再生したデータを第２の情報記録媒体に記録して複製を生成することを特徴とする情報記録再生システム。
【請求項１０】
請求項８または請求項９記載の情報記録再生システムであって、
前記第２の情報記録媒体で複製を生成した後は、前記第１の情報記録媒体への記録または再生を禁止することを特徴とする情報記録再生システム。
【請求項１１】
請求項８記載の情報記録再生システムであって、
前記第２の再生レーザパワーは、前記第１の再生レーザパワーよりも大きいことを特徴とする情報記録再生システム。
【発明の詳細な説明】
【技術分野】
【０００１】
本発明は情報記録再生装置に係り、特に複数の情報記録媒体を具備したアーカイブ装置において各情報記録媒体の経年劣化を抑制し、記録されるデータの信頼性向上に関する。
【背景技術】
【０００２】
本技術分野の背景技術として特開２００８−１０８３０６号公報（特許文献１）がある。この公報には、「Ｓ１０４にて測定されたＰＲＳＮＲが閾値Ｐｓｈ未満であれば（Ｓ１０５：ＮＯ）、再生レーザパワーＰｗｒがΔＰだけ高められ（Ｓ１０７）、Ｓ１０４に戻って、再度、ＰＲＳＮＲの測定が行われる。Ｓ１０４からＳ１０５の処理は、ＰＲＳＮＲが閾値Ｐｓｈ以上となる（Ｓ１０５:ＹＥＳ）まで繰り返される。そして、ＰＲＳＮＲが閾値Ｐｓｈ以上となったときの再生レーザパワーＰｗｒが当該再生動作時における再生レーザパワーに設定される（Ｓ１０６）。」と記載されている。
【先行技術文献】
【特許文献】
【０００３】
【特許文献１】特開２００８−１０８３０６号
【発明の概要】
【発明が解決しようとする課題】
【０００４】
光ディスクにおいて記録膜特性の経年劣化により再生時のＰＲＳＮＲが低下し、再生不可能になる可能性がある。
【０００５】
特許文献１には光ディスク再生開始時に、再生レーザパワーを上げることでＰＲＳＮＲ（Partial Response Signal to Noise Ratio）を向上させ、閾値Ｐｓｈ以上のＰＲＳＮＲが得られた時点の再生レーザパワーで再生を行う手法が記載されている。
【０００６】
しかし再生レーザパワーを上げて再生を行うと光ディスクの記録膜特性の劣化が懸念され、光ディスクの再生耐久性が損なわれる恐れがあり、特に経年劣化により記録膜特性が悪化した光ディスクに対して特許文献１記載の手法を用いると所望のＰＲＳＮＲを得るために再生レーザパワーを上げることで、更に記録膜特性の劣化を促進させ、場合によっては光ディスクに記録されたデータを破壊する可能性がある。
【０００７】
本発明は前記課題に鑑みてなされたものであり、複数の情報記録媒体を具備するアーカイブ装置において、情報記録媒体の経年劣化を抑制するとともに、該アーカイブ装置に記録されたデータの信頼性を向上させることを目的とする。
【課題を解決するための手段】
【０００８】
上述の課題を解決するため、本発明では一例として特許請求の範囲記載の構成を用いる。
【発明の効果】
【０００９】
本発明によれば、情報記録媒体の経年劣化を抑制するとともに、記録されるデータの信頼性を向上させる情報記録再生装置を提供することができる。
【００１０】
上記した以外の課題、構成及び効果は、以下の実施形態の説明により明らかにされる。
【図面の簡単な説明】
【００１１】
【図１】実施例１における再生処理のフローチャート
【図２】実施例１における品質規格外ディスクの複製処理のフローチャート
【図３】実施例１における情報記録再生装置のブロック図
【図４】実施例１における情報記録再生ドライブのブロック図
【図５】実施例１乃至３における光ディスクのレイアウト
【図６】実施例１と３における経年劣化前後の再生レーザパワーと情報記録媒体品質評価値の関係
【図７】実施例２における再生処理のフローチャート
【図８】実施例２と３における経年劣化前後の再生レーザパワーと情報記録媒体品質評価値の関係
【図９】実施例２における情報記録再生装置のブロック図
【図１０】実施例３におけるホストサーバと情報記録再生装置から構成されるアーカイブ装置のブロック図
【図１１】実施例３におけるホストサーバのブロック図
【図１２】実施例３における情報記録再生装置のブロック図
【図１３】実施例２と３における情報記録媒体別の再生レーザパワー情報
【図１４】実施例２と３における品質規格外ディスクの複製処理のフローチャート
【発明を実施するための形態】
【００１２】
以下、実施例を図面を用いて説明する。
【実施例１】
【００１３】
実施例１のアーカイブ装置の構成ならびに動作を、図面を参照しながら詳述する。
【００１４】
図３は実施例１におけるアーカイブ装置のブロック図である。以下、本実施例では情報記録媒体に光ディスクを、情報記録媒体記録再生ドライブに光ドライブを用いる光ディスクアーカイブ装置として説明するが、本発明を適用可能な情報記録媒体や情報記録再生ドライブはこれらに限られるものではなく、例えばホログラム媒体などに適用しても構わない。
【００１５】
本実施例のアーカイブ装置１０は、アーカイブ装置制御部１１と、チェンジャー機構１２と、光ディスク４０を複数収納するラック１３と、ホストインタフェース１４と、ドライブインタフェース１５と、情報記録媒体品質監視部１６と、複数の光ドライブ３０とで構成される。
【００１６】
光ディスクアーカイブ装置１０は、ホストインタフェース１４を介してホストコンピュータ２０と接続され、記録や再生（以下、記録再生と表記）といった各種のコマンドとコマンドの実行結果と記録再生したデータを送受信する。
【００１７】
ラック１３は複数のスロットを備えており、各スロットには1枚ずつ光ディスク４０を収納することができる。
【００１８】
アーカイブ装置制御部１１はアーカイブ装置１０の動作全般を制御する機能を備えており、チェンジャー機構１２を動作させて、ラック１３から所定の光ディスク４０を取り出し、所定の光ドライブ３０まで搬送してロードする。あるいは逆に、所定の光ドライブ３０からイジェクトされた光ディスク４０を、ラック１３の所定のスロットに搬送して収納する。また、ドライブインタフェース１５を介して各光ドライブ３０は互いに、またアーカイブ装置制御部１１と接続されており、アーカイブ装置制御部１１は所定の光ドライブ３０に対して記録や再生といった各種のコマンドと記録するデータを送信し、コマンドの実行結果と再生したデータおよび後述する情報記録媒体品質評価値を受信する。また、アーカイブ装置制御部１１は受信した情報記録媒体品質評価値を情報記録媒体品質監視部１６に供給する。
【００１９】
情報記録媒体品質監視部１６は、後述する第１の再生レーザパワーを用いて光ディスク４０を再生することで得られる第１の情報記録媒体品質評価値をアーカイブ装置制御部１１から受信し、該第１の情報記録媒体品質評価値を監視し、予め定めた情報記録媒体品質基準値より悪質な前記第１の情報記録媒体品質評価値を示す光ディスクに対しては、前記第１の情報記録媒体品質評価値よりも良質な第２の情報記録媒体品質評価値が再生可能な第２の再生レーザパワーで前記光ディスクに記録される全データの再生を実行し、ラック１３に収納される別の光ディスク４０に前記再生したデータを記録し複製を生成するようアーカイブ装置１１に制御信号を供給する。これにより、アーカイブ装置１０に記録されるデータの信頼性を向上させることが可能となりまた、前記第１の再生レーザパワーは第２の再生レーザパワーに比較して再生時に光ディスクの記録膜特性の劣化を抑制することが可能な特徴を有しているため、光ディスクの経年劣化を抑制することが可能となる。
【００２０】
アーカイブ装置１０の詳細な動作については後述する。
【００２１】
図５は実施例１における光ディスク４０の構成図である。
【００２２】
光ディスク４０は大きく分けて、ディスクＩＤなどが記録されているリードインエリア４１、リードアウトエリア４２、ユーザがデータを記録再生するユーザデータエリア４３の３つの領域から構成される。
【００２３】
図４は実施例１における光ドライブ３０のブロック図である。
本実施例の光ドライブ３０は、ドライブ制御部３１と、光ピックアップ３２と、コントローラインタフェース３４と、ディスク回転機構５０と、スライダ機構５１と、サーボ制御部５２と、サーボ信号生成部５３と、再生信号生成部５４と、再生信号２値化部５５と、エンコード部５６と、デコード部５７と、ＡＦＥ(Ａｎａｌｏｇ Ｆｒｏｎｔ Ｅｎｄ)６０と、信号品質測定部６１と、レーザ制御部６２とで構成される。
【００２４】
光ディスク４０からの反射光量は光ピックアップ３２の光検出器で受光されて電気信号に変換され、ＡＦＥ６０に送られる。
【００２５】
ＡＦＥ６０は光ピックアップからの電気信号の増幅等のアナログ信号処理を実行し、信号品質測定部６１とサーボ信号生成部５３と再生信号生成部５４に供給する。
【００２６】
信号品質測定部６１は、ＡＦＥ６０から供給される信号の最短周期信号長の振幅中心情報であるベータ、前記信号の位相エラー情報であるエッジシフト、ジッタ、i-MLSE、および反射光の総和であるプルインエラー信号（以下ＰＥと表記)などを測定して測定結果を生成し、情報記録媒体品質評価値としてドライブ制御部３１に供給する。
【００２７】
サーボ信号生成部５３は、装着された光ディスク４０に好適な検出方法で各種のサーボ信号を選択して生成し、後述する情報記録媒体品質評価値としてドライブ制御部３１に供給する。サーボ信号には少なくともフォーカス誤差信号とトラッキング誤差信号とが含まれる。
【００２８】
再生信号生成部５４は、波形等化回路とＡ／Ｄコンバータとを備えており、ＡＦＥ６０から供給されたアナログの再生信号に対して、所定の波形等化の後、標本化および量子化を行ってデジタル信号に変換し、再生信号２値化部５５に供給する。
【００２９】
再生信号２値化部５５は、トランスバーサルフィルタと、ビタビ復号回路を備える。再生信号生成部５４から供給されたデジタル信号はトランスバーサルフィルタで所定のＰＲクラスに等化され、ビタビ復号回路で最尤復号を行って、この等化波形を所定の変調規則に基づくＮＲＺＩ信号に変換する。再生信号２値化部５５で生成されたＮＲＺＩ信号は、デコード部５７によってデータの訂正処理などを行って再生データ信号に変換され、コントローラインタフェース３４を介してアーカイブ装置制御部１１に送られる。再生データは前記ユーザデータエリア４３に記録されたユーザデータのみではなく、光ディスクのリードインエリア４１に記録されるディスクＩＤなどの情報も含み、リードインエリアを再生した際に得られる情報、特にディスクＩＤは情報記録媒体品質評価値として再生データと共にコントローラインタフェース３４を介してアーカイブ装置制御部１１に送られる。また、デコード部５７は訂正処理時に訂正を行った回数を通知する機能を備えており、再生エラーレートを測定することができ、該再生エラーレートも情報記録媒体品質評価値としてコントローラインタフェース３４を介してアーカイブ装置制御部１１に送られる。
【００３０】
ドライブ制御部３１は、光ドライブ３０の動作全般を制御する。
【００３１】
再生時のドライブ制御部３１はレーザ制御部６２を介して光ピックアップ３２が所望の再生レーザパワーで発光するよう制御を実行し、サーボ信号生成部５３から供給されるサーボ信号を用いて、ディスク回転機構５０に装着された光ディスク４０の回転制御を行い、スライダ機構５１を駆動して光ピックアップ３２を光ディスク４０の半径方向に変位させるシーク制御及び送り制御を行い、光ピックアップ３２の対物レンズを駆動してフォーカス制御およびトラッキング制御を行う。尚、ここでサーボ制御に用いたサーボ信号は情報記録媒体品質評価値としてコントローラインタフェース３４を介してアーカイブ装置制御部１１に送られる。
【００３２】
記録時のドライブ制御部３１はコントローラインタフェース３４を介してアーカイブ装置制御部１１から送られてきた記録データ信号を、エンコード部５６で所定の変調規則によるＮＲＺＩ信号に変換してドライブ制御部３１に供給し、ドライブ制御部３１はこのＮＲＺＩ信号に対応した記録ストラテジ（発光パルス列）に変換し、レーザ制御部６２を駆動して所定の光強度およびパルス列でレーザを発光させる。
【００３３】
実施例１のアーカイブ装置の再生動作について説明する。図１は実施例１におけるアーカイブ装置の再生動作処理のフローチャートである。
【００３４】
アーカイブ装置制御部１１はホストコンピュータ２０から再生命令を受け取ると、再生処理の実行に併せて情報記録媒体品質評価処理を実施する。ここでは光ディスク４０のうち、光ディスクＭのデータを再生する命令を受け取ったものとする。
【００３５】
アーカイブ装置制御部１１は光ディスクＭを記録再生する光ドライブ３０として光ドライブＮを選択し、１００において、チェンジャー機構１２を駆動して光ディスクＭを光ドライブＮにロードする。
【００３６】
１０１において光ディスクＭのリードインエリア４１を前記第１の再生レーザパワーで再生し、特にディスクＩＤなどは情報記録媒体品質評価値としてアーカイブ装置制御部１１に送られる。
【００３７】
１０２において光ディスクＭのユーザデータエリア４３を前記第１の再生レーザパワーで再生し、該再生中にユーザデータエリア４３のベータ、エッジシフト、ジッタ、サーボ信号、ＰＥおよびi-MLSEやエラーレートなどの情報記録媒体品質評価値を信号品質測定部６１とデコード部５７を用いて測定し、該測定された第１の情報記録媒体品質評価値はドライブ制御部３１がコントローラインタフェース３４を介してアーカイブ装置制御部１１に供給される。
【００３８】
１０３において、アーカイブ装置制御部１１は受信した第１の情報記録媒体品質評価値を情報記録媒体品質監視部１６に供給する。
【００３９】
１０４において、情報記録媒体品質監視部１６は取得した第１の情報記録媒体品質評価値と予め定めた情報記録媒体品質基準値との比較を行い、該比較結果から再生中の光ディスクＭは品質規格外ディスクであるかを判断し、品質規格外ディスクでなければ１０５の処理を実行し、品質規格外ディスクであれば１０６の処理を実行する。１０４における取得した第１の情報記録媒体品質評価値と予め定めた情報記録媒体品質基準値との比較動作の詳細については後述する。
【００４０】
１０５において、アーカイブ装置制御部１１は光ドライブＮから光ディスクＭをイジェクトさせる。イジェクトされた光ディスクＭはチェンジャー機構１２によりラック１３に搬送され、再生処理は終了する。
【００４１】
１０６において、アーカイブ装置１０は１０４で品質規格外ディスクと判断した再生中の光ディスクＭの複製を別の光ディスク４０で生成し、再生動作は終了する。１０６の詳細な動作は後述する。
【００４２】
前記１０６の詳細な動作について図２を用いて説明する。
【００４３】
図２は図１に示す１０６の品質規格外ディスク複製処理のフローチャートである。
【００４４】
まず１０６０１において、１０４で品質規格外ディスクと設定された光ディスクＭをロードしている光ドライブＮの再生レーザパワーに前記第２の再生レーザパワーを設定し、該設定した第２の再生レーザパワーを用いて光ディスクＭに記録される全データを再生する。
【００４５】
次に後述する交換対象ディスクに設定されていない光ディスクをドライブＯにロードし（１０６０２）、ドライブＯにロードした光ディスクのリードインエリア４１を再生する（１０６０３）。
【００４６】
１０６０４において前記再生した光ディスクＭの全データをドライブＯにロードした光ディスクに記録し、光ディスクＭの複製を別の光ディスクを用いて生成する。また複製した光ディスクに対しては記録後に記録箇所の再生を第１の再生レーザパワーを用いて行うベリファイ処理によって、情報記録媒体品質評価値を測定する。このベリファイ処理は記録する全ての領域に対して行っても良いし、例えば記録されるデータの内、最外周側に記録されるデータに対して行っても良い。これは光ディスクの経年劣化は外周側の方が内周側に比べて起こりやすいことに起因する。なお、本発明はこれらに限られず、情報記録媒体品質評価値を測定する領域は限定されない。測定された情報記録媒体品質評価値はアーカイブ装置制御部１１を介して情報記録媒体品質監視部１６に供給される。
【００４７】
次に１０６０５において、情報記録媒体品質監視部１６は前記複製ディスクの情報記録媒体品質評価値と予め定めた情報記録媒体品質基準値との比較を行い、複製した光ディスクが品質規格外ディスクであるかを判断し、品質規格外ディスクでなければ１０６０７の処理を実行し、品質規格外ディスクであれば１０６０６の処理を実行する。
【００４８】
１０６０５で前記複製した光ディスクが品質規格外ディスクと判断されれば、１０６０６において前記複製した光ディスクを記録または再生を行わない交換対象ディスクに設定して、光ドライブＯからイジェクトし、１０６０２の処理に戻る。ここで、交換対象ディスクに設定された光ディスクは一旦チェンジャー機構１２を用いてラック１３に保管し、交換対象ディスクが一定の枚数に達した時点で新たなディスクと交換しても良いし、交換処理を実行する時期を定期的に決めて行っても良いし、交換対象ディスクにされた時点で新たな光ディスクと交換しても良く、交換する時期については限定されない。
【００４９】
１０６０５で前記複製したディスクが品質規格外ディスクではないと判断されれば、１０６０７において、光ディスクＭを交換対象ディスクに設定して、光ディスクＭと複製した光ディスクをイジェクトし、チェンジャー機構１２を用いてラック１３の所定のスロットに搬送して収納し、品質規格外ディスクの複製処理は終了する。
【００５０】
前記１０４と１０６の動作について図６を用いて詳細に説明する。
【００５１】
図６は経年劣化前後の光ディスクにおいて、再生レーザパワーと情報記録媒体品質評価値の関係を示す図である。尚、横軸は再生レーザパワー、縦軸は情報記録媒体品質評価値を示し、情報記録媒体品質評価値は値が低いほど、品質が良いことを示す。
【００５２】
６０８は経年劣化前の光ディスクにおいて、再生レーザパワーと情報記録媒体品質評価値の関係を示し、６１０は前記第１の再生レーザパワーを示し、６１１は前記第２の再生レーザパワーを示し、６０１乃至６０３は経年劣化前の光ディスクにおける各再生レーザパワーの情報記録媒体品質評価値を示し、特に第１の再生レーザパワー６１０で再生される６０２の情報記録媒体品質評価値を第１の情報記録媒体品質評価値とし、第２の再生レーザパワー６１１で再生される６０３の情報記録媒体品質評価値を第２の情報記録媒体品質評価値とする。６０９は経年劣化後の光ディスクにおいて、再生レーザパワーと情報記録媒体品質評価値の関係を示し、６０４乃至６０６は経年劣化後の光ディスクにおける各再生レーザパワーの情報記録媒体品質評価値を示し、特に第１の再生レーザパワー６１０で再生される６０５の情報記録媒体品質評価値を第１の情報記録媒体品質評価値とし、第２の再生レーザパワー６１１で再生される６０６の情報記録媒体品質評価値を第２の情報記録媒体品質評価値とする。６０７は前記予め定めた情報記録媒体品質基準値を示す。
【００５３】
前記１０４において、アーカイブ装置１０は前記１０２の処理において再生中に取得した第１の情報記録媒体品質評価値と情報記録媒体品質基準値６０７を比較し、該第１の情報記録媒体品質評価値が該情報記録媒体品質基準値６０７を下回っていれば再生した光ディスクは品質規格外ディスクではないと判断し、該情報記録媒体品質評価値が該情報記録媒体品質基準値６０７を上回っていれば、再生した光ディスクは品質規格外ディスクであると判断する。
【００５４】
図６の６０２に示されるように経年劣化前の光ディスクにおいては第１の再生レーザパワー６１０で再生される第１の情報記録媒体品質評価値６０２は情報記録媒体品質基準値６０７を下回るが、経年劣化後の光ディスクにおいては第１の再生レーザパワー６１０で再生すると第１の情報記録媒体品質評価値６０５に示されるように情報記録媒体品質基準値６０７を上回ることがある。６０５に示されるように第１の再生レーザパワー６１０で再生される第１の情報記録媒体品質評価値が情報記録媒体品質基準値６０７を上回った場合には、１０６で第１の再生レーザパワーよりも大きく、第１のレーザパワーで取得される第１の情報記録媒体品質評価値よりも品質の良い第２の情報記録媒体品質評価値を取得可能な第２の再生レーザパワー６０６で全データの再生を行い、再生した全データを前記品質規格外ディスクと判断した光ディスクとは別の光ディスクであり且つ、前記交換対象ディスクとは別の光ディスク４０に記録することで、前記１０４で品質規格外ディスクと判断した光ディスクの複製ディスクを生成する。
【００５５】
尚情報記録媒体品質基準値６０７は再生可否を分ける情報記録媒体品質評価値としても良いし、再生可否を分ける情報記録媒体品質評価値からマージンを考慮した値としても良く、情報記録媒体品質基準値６０７は限定されない。
【００５６】
また前記情報記録媒体品質評価値には前記記載の通りベータ、エッジシフト、ジッタ、i-MLSE、ＰＥ、再生エラーレートなどであり、いずれか１つの値を情報記録媒体品質評価値としても良いし、任意の複数を情報記録媒体品質評価値にしてもよく、情報記録媒体品質評価値は限定されない。
【００５７】
また前記１０４で再生される光ディスクを品質規格外ディスクと判断する際には、再生される情報記録媒体品質評価値の内最も悪質な情報記録媒体品質評価値を前記情報記録媒体品質基準値と比較しても良いし、最外周の情報記録媒体品質評価値を前記情報記録媒体品質基準値と比較しても良いし、再生される情報記録媒体品質評価値の平均値を前記情報記録媒体品質基準値と比較しても良く、品質規格外ディスクと判断する際に用いる情報記録媒体品質評価値の再生される領域は限定されない。
【００５８】
このように通常再生時には光ディスクの記録膜特性の劣化を抑制可能な第１の再生レーザパワーを用いて再生を行うことで、再生による光ディスクの劣化を抑制するとともに、経年劣化した光ディスクに対しては第１の再生レーザパワーで再生される前記第１の情報記録媒体品質評価値よりも品質の良い第２の情報記録媒体品質評価値を再生可能な第２の再生レーザパワーで再生を行い、別の光ディスクで複製を生成することで、アーカイブ装置１０が保持するデータの信頼性を向上することができる。
【実施例２】
【００５９】
実施例２のアーカイブ装置の構成ならびに動作を、図面を参照しながら詳述する。
【００６０】
図９は実施例２におけるアーカイブ装置のブロック図である。
【００６１】
以下、実施例１と相違する点についてのみ説明し、前記の図と同一の機能を有する部品には同一の符号を付して、その繰り返しの説明は省略する。
【００６２】
実施例２におけるアーカイブ装置１０と実施例１におけるアーカイブ装置１０との相違点は情報記録媒体監視データベース１７が具備された点である。
【００６３】
情報記録媒体監視データベース１７は後述する現在の再生レーザパワーと、再生レーザパワー増加量と、増加後の再生レーザパワー、再生レーザパワー限界値をアーカイブ装置１０に具備される光ディスク４０毎に保持する。情報記録媒体監視データベース１７が保持するデータについては後述する。
【００６４】
情報記録媒体監視データベース１７が保持するデータについて図１３を用いて詳細に説明する。図１３は情報記録媒体監視データベース１７が保持する１枚の光ディスクについて保持するデータである。１３００は光ディスク固有のＩＤである光ディスクＩＤ、１３０１は初期再生レーザパワー、１３０２は再生レーザパワー増加量、１３０３は現在の再生レーザパワー、１３０４は増加後の再生レーザパワー、１３０５は再生レーザパワー限界値を示す。１３０１乃至１３０５については後述する。
【００６５】
実施例２のアーカイブ装置１０の再生処理について説明する。図７は実施例２におけるアーカイブ装置の再生処理のフローチャートである。
【００６６】
実施例２におけるアーカイブ装置１０の再生動作が実施例１におけるアーカイブ装置１０の再生処理と異なる点は、１０１と１０６の動作が削除され、７０１と７０６と７０７と７０８の処理が追加された点である。
【００６７】
７０１において、光ディスクＭのリードインエリアを再生し、ディスクＩＤを取得する。取得したディスクＩＤはアーカイブ装置１１を介して情報記録媒体品質監視部１６に供給され、情報記録媒体品質監視部１６は情報記録媒体監視データベース１７にアクセスし、前記供給された光ディスクＩＤのデータを検索し、該当するディスクＩＤ１３００に付随する前記初期再生レーザパワー１３０１、再生レーザパワー増加量１３０２、現在の再生レーザパワー１３０３、増加後の再生レーザパワー１３０４、再生レーザパワー限界値１３０５を取得する。前記取得した現在の再生レーザパワー１３０３で再生するよう情報記録媒体品質監視部１６はアーカイブ装置１１とドライブ制御部３１を介してレーザ制御部６２に制御信号を供給し、１０２において、光ドライブＮは前記現在の再生レーザパワー１３０３を用いてユーザデータエリアの再生を実行する。
【００６８】
７０７では、１０４で品質規格外光ディスクと判断された光ディスクＭにおいて、前記取得した増加後の再生レーザパワー１３０４と再生レーザパワー限界値１３０５の比較を行い、増加後の再生レーザパワー１３０４が再生レーザパワー限界値１３０５を上回っていれば７０６の処理を実行し、増加後の再生レーザパワー１３０４が再生レーザパワー限界値１３０５を下回っていれば、７０８の処理を実行する。
【００６９】
７０６の詳細な動作については後述する。
【００７０】
７０８において、情報記録媒体品質監視部１６は増加後の再生レーザパワー１３０４を現在のレーザパワー１３０３に、増加後の再生レーザパワー１３０４に再生レーザパワー増加量１３０２を加算した値を新たな増加後の再生レーザパワー１３０４として更新するよう情報記録媒体監視データベース１７を更新し、更新後の現在の再生レーザパワー１３０３で再生するようアーカイブ装置１１とドライブ制御部３１を介してレーザ制御部６２に制御信号を供給し、１０２の処理に戻る。
【００７１】
前記７０６の詳細な動作について図１４を用いて説明する。
【００７２】
図１４は図７に示す７０６の品質規格外ディスク複製処理のフローチャートである。
【００７３】
実施例２における品質規格外ディスク複製処理７０６が実施例１における品質規格外ディスク複製処理１０６と異なる点は、１０６０１と１０６０３の処理が削除され、７０６０２と７０６０３と７０６０８と７０６０９の処理が追加された点である。
【００７４】
まず、７０６０１において品質規格外ディスクと判断された光ディスクＭをロードしている光ドライブＮの再生レーザパワーに情報記録媒体監視データベース１７に保存される光ディスクＭの光ディスクＩＤ１３００に付随する増加後の再生レーザパワー１３０４を設定し、該設定した再生レーザパワーを用いて光ディスクＭに記録される全データを再生する。
【００７５】
７０６０３において、ドライブＯにロードした光ディスクのリードインエリアを再生し、ディスクＩＤを取得する。取得したディスクＩＤはアーカイブ装置１１を介して情報記録媒体品質監視部１６に供給され、情報記録媒体品質監視部１６は情報記録媒体監視データベース１７にアクセスし、前記供給された光ディスクＩＤのデータを検索し、該当するディスクＩＤ１３００に付随する前記初期再生レーザパワー１３０１、再生レーザパワー増加量１３０２、現在の再生レーザパワー１３０３、増加後の再生レーザパワー１３０４、再生レーザパワー限界値１３０５を取得する。
【００７６】
７０６０８では、１０６０５で品質規格外ディスクであると判断された複製した光ディスクにおいて７０６０３で取得した増加後の再生レーザパワー１３０４と再生レーザパワー限界値１３０５の比較を行い、増加後の再生レーザパワー１３０４が再生レーザパワー限界値１３０５を上回っていれば１０６０６の処理を実行し、増加後の再生レーザパワー１３０４が再生レーザパワー限界値１３０５を下回っていれば、７０６０９の処理を実行する。
【００７７】
７０６０９において、情報記録媒体品質監視部１６は複製した光ディスクについて、増加後の再生レーザパワー１３０４を現在のレーザパワー１３０３に、増加後の再生レーザパワー１３０４に再生レーザパワー増加量１３０２を加算した値を新たな増加後の再生レーザパワー１３０４として更新するよう情報記録媒体監視データベース１７を更新し、更新後の現在の再生レーザパワー１３０３で複製した光ディスクを再生するようアーカイブ装置１１とドライブ制御部３１を介してレーザ制御部６２に制御信号を供給し、前記更新後の現在の再生レーザパワー１３０３を用いて複製光ディスクの再生を行い、情報記録媒体品質評価値を取得して１０６０５の処理に戻る。
【００７８】
前記１０４と７０６と７０７と７０８の動作について図８を用いて詳細に説明する。
【００７９】
図８は経年劣化前後の光ディスクにおいて、再生レーザパワーと情報記録媒体品質評価値の関係を示す図である。尚、横軸は再生レーザパワー、縦軸は情報記録媒体品質評価値を示し、情報記録媒体品質評価値は値が低いほど、品質が良いことを示す。
【００８０】
８２６は経年劣化前の光ディスクにおいて、再生レーザパワーと情報記録媒体品質評価値の関係を示し、８０１乃至８１０は経年劣化前の光ディスクにおける各再生レーザパワーの情報記録媒体品質評価値を示し、８２７は経年劣化後の光ディスクにおいて、再生レーザパワーと情報記録媒体品質評価値の関係を示し、８１１乃至８２０は経年劣化後の光ディスクにおける各再生レーザパワーの情報記録媒体品質評価値を示し、８２１は初期再生レーザパワー１３０１を示し、８２２は初期再生レーザパワー１３０１に再生パワー増加量１３０２を加算した第２の再生レーザパワーを示し、８２３は第２の再生レーザパワー８２２に再生レーザパワー増加量１３０２を加算した第３の再生レーザパワーを示し、８２４は第３の再生レーザパワー８２３に再生レーザパワー増加量１３０２を加算した第４の再生レーザパワーを示し、８２５は再生レーザパワー限界値１３０５を示し、６０７は前記予め定めた情報記録媒体品質基準値を示す。
【００８１】
アーカイブ装置１０は一度も品質規格外ディスクと判断されていない光ディスクに対しては、初期再生レーザパワー１３０１が現在の再生レーザパワー１３０３に設定され、現在の再生レーザパワー１３０３に再生レーザパワー増加量１３０２が加算された値が増加後の再生レーザパワー１３０４に設定されている。実施例２においては、初期再生レーザパワー１３０１で再生される８０３と８１３の情報記録媒体品質評価値を第１の情報記録媒体品質評価値とし、第２の再生レーザパワーで再生される８０４と８１４の情報記録媒体品質評価値を第２の情報記録媒体品質評価値として、以降、初期再生レーザパワー１３０１にＮ度再生レーザパワー増加量１３０２を加算したレーザパワーを第Ｎの再生レーザパワーとして、第Ｎの再生レーザパワーで再生される情報記録媒体品質評価値を第Ｎの情報記録媒体品質評価値とする。
【００８２】
前記１０４においてアーカイブ装置１０は前記１０２で再生中に取得した第Ｎの情報記録媒体品質評価値と情報記録媒体品質基準値６０７を比較し、該第Ｎの情報記録媒体品質評価値が該情報記録媒体品質基準値６０７を下回っていれば再生した光ディスクは品質規格外ディスクではないと判断し、該第Ｎの情報記録媒体品質評価値が該情報記録媒体品質基準値６０７を上回っていれば、再生した光ディスクは品質規格外ディスクであると判断する。
【００８３】
８１３に示されるように第１の再生レーザパワー８２１で再生される第１の情報記録媒体品質評価値が情報記録媒体品質基準値６０７を上回った場合には、７０７で第１の再生レーザパワー８２１に再生レーザパワー増加量１３０２を加算した第２の再生レーザパワー８２２を算出し、該算出した第２の再生レーザパワー８２２と再生レーザパワー限界値８２５を比較する。図８に示す通り、前記算出した第２の再生レーザパワー８２２が再生レーザパワー限界値８２５を下回っていれば、算出した第２の再生レーザパワー８２２を現在の再生レーザパワーに設定し、ディスクの再生を行う。ここで、前記１０４において品質規格外ディスクと判断した際の現在の再生レーザパワー１３０３が図８に示される第３の再生レーザパワー８２３として設定されていた場合、第３の再生レーザパワー８２３に再生レーザパワー増加量１３０２を加算した第４の再生レーザパワー８２４は再生レーザパワー限界値８２５を上回る。第４の再生レーザパワー８２４に示されるように、現在の再生レーザパワー１３０３に再生レーザパワー増加量１３０２を加算した増加後の再生レーザパワー１３０４が再生レーザパワー限界値１３０５を上回る場合には、アーカイブ装置１０は算出した第４の再生レーザパワーで前記品質規格外ディスクに記録された全データの再生を行い、再生したデータを品質規格外ディスクと判断した光ディスクとは別の光ディスク４０に記録することで、前記１０４で品質規格外ディスクと判断した光ディスクのデータの複製を生成する。
【００８４】
尚、再生レーザパワー限界値を下回る第（Ｎ−１）の再生レーザパワーと、該第（Ｎ−１）の再生レーザパワーに再生レーザパワー増加量１３０２を加算した前記再生レーザパワー限界値１３０５を上回る第Ｎの再生レーザパワーにおいて、第Ｎの再生レーザパワーで再生される第Ｎの情報記録媒体品質評価値は、第（Ｎ−１）の再生レーザパワーで再生される第（Ｎ−１）の情報記録媒体品質評価値と前記情報記録媒体品質基準値６０７よりも良質な値が取得されるように、再生レーザパワー限界値１３０５と再生レーザパワー増加量１３０２は設定される。
【００８５】
このように品質規格外と判断された光ディスクに対して、段階的に再生レーザパワーを増加させて再生を行うことで、再生による光ディスクの劣化を抑制するとともに、再生レーザパワー限界値を予め定めておいて、増加させた再生レーザパワーが前記再生レーザパワー限界値を上回る再生レーザパワーである場合には、該増加させた再生レーザパワーで再生を行い、別の光ディスクで複製を生成することで、アーカイブ装置１０が保持するデータの信頼性を向上することができる。
【実施例３】
【００８６】
実施例３では本発明を、少なくとも１台の実施例１乃至２記載のアーカイブ装置を情報記録再生装置として相互に接続して構成されるアーカイブ装置に適用した場合の実施例について説明する。
【００８７】
実施例３のアーカイブ装置の構成ならびに動作を、図面を参照しながら詳述する。
【００８８】
以下、実施例１乃至２と相違する点についてのみ説明し、前記の図と同一の機能を有する部品には同一の符号を付して、その繰り返しの説明は省略する。図１０は実施例３におけるアーカイブ装置１０００のブロック図である。
【００８９】
ホストサーバ１００３はアーカイブ装置１０００の動作全般を制御する機能を備えており、バス１００２を介して所定のホストコンピュータ１００１から供給される命令コマンドに従ってアーカイブ装置１０００内部に具備される所定の情報記録再生装置１００６にデータを記録再生する。また情報記録再生装置１００６の記録再生中、情報記録再生装置１００６は記録再生したデータと記録再生の際に得られる情報記録媒体品質評価値をＩＦ１００４を介してホストサーバ１００３に供給する。ここで、情報記録再生装置１００６は実施例１記載のアーカイブ装置を用いても良いし、実施例２記載のアーカイブ装置を用いても良いし、あるいは実施例１と２記載のアーカイブ装置を両方用いても良い。但し、実施例３で用いられる情報記録再生装置１００６は情報記録媒体品質監視部１６と情報記録媒体監視ＤＢ１７は具備されない。実施例３で用いられる情報記録再生装置１００６については後述する。
【００９０】
図１１はホストサーバ１００３の構成図である。
【００９１】
ホストサーバ１００３はアーカイブ装置制御部１００３０１と、情報記録媒体品質監視部１６と情報記録媒体監視ＤＢ１７と、インターフェース１００３０４と、インターフェース１００３０５で構成される。
【００９２】
アーカイブ装置制御部１００３０１はインターフェース１００３０５を介して供給されるホストコンピュータ１００１からの命令コマンドに従って、アーカイブ装置制御信号と記録データをインターフェース１００３０４を介してアーカイブ装置１０００に供給し、アーカイブ装置１０００から１００３０４を介して供給される情報記録媒体品質評価値を情報記録媒体品質監視部１６に、再生データをインターフェース１００３０５を介してホストコンピュータに供給する。
【００９３】
図１２は実施例３における情報記録再生装置１００６の構成図である。本実施例における情報記録再生装置が実施例１記載のアーカイブ装置と相違する点は、情報記録媒体品質監視部１６と情報記録媒体監視ＤＢ１７を具備しない点と、アーカイブ装置制御部１１に代わり情報記録再生装置制御部１００６０１が具備された点である。
【００９４】
情報記録再生装置制御部１００６０１は情報記録再生装置１００６の動作全般を制御する機能を備えており、チェンジャー機構１２を動作させて、ラック１３から所定の光ディスク４０を取り出し、所定の光ドライブ３０まで搬送してロードする。あるいは逆に、所定の光ドライブ３０からイジェクトされた光ディスク４０を、ラック１３の所定のスロットに搬送して収納する。また、ドライブインタフェース１５を介して各光ドライブ３０は互いに、また情報記録再生装置制御部１００６０１と接続されており、情報記録再生装置制御部１００６０１は所定の光ドライブ３０に対してホストサーバ１００３から供給されるアーカイブ装置制御信号に従って、記録や再生といった各種のコマンドと記録するデータを光ドライブ３０に送信し、コマンドの実行結果と再生したデータおよび情報記録媒体品質評価値を受信する。また、情報記録再生装置制御部１００６０１は受信した情報記録媒体品質評価値をインターフェース１４を介してホストサーバ１００３に供給する。
【００９５】
再生処理は、情報記録再生装置１００６に図３に示すアーカイブ装置１０を用いる場合は図１に従い、情報記録再生装置１００６に図９に示すアーカイブ装置１０を用いる場合は図７に従う。その際、１０６や７０６の処理における複製ディスクの生成は、前記品質規格外ディスクと判断された光ディスク４０が格納される前記情報記録再生装置１００６内部に格納される品質規格外ディスクと判断されていない別の光ディスク４０を用いても、前記品質規格外ディスクと判断された光ディスク４０が格納される前記情報記録再生装置１００６とは別の前記情報記録再生装置１００６に格納される品質規格外ディスクと判断されていない別の光ディスク４０を用いても良い。
【００９６】
このように少なくとも１台の実施例１乃至２記載のアーカイブ装置を情報記録再生装置として相互に接続して構成されるアーカイブ装置において、該アーカイブ装置を制御するホストサーバに情報記録媒体品質監視部と情報記録媒体監視データベースが具備されることで、各情報記録再生装置には光ディスクの監視部とデータベースを持つことが不要となり、アーカイブ装置に具備される全光ディスクの再生レーザパワーをホストサーバが各光ディスクの品質に合わせて一元管理することが可能となる。
【符号の説明】
【００９７】
１０・・・アーカイブ装置
１１・・・アーカイブ装置制御部
１２・・・チェンジャー機構
１３・・・ラック
１４・・・ホストインタフェース
１５・・・ドライブインタフェース
１６・・・情報記録媒体品質監視部
１７・・・情報記録媒体監視データベース
２０・・・ホストコンピュータ
３１・・・ドライブ制御部
３２・・・光ピックアップ
３４・・・コントローラインタフェース
４０・・・光ディスク
５０・・・ディスク回転機構
５１・・・スライダ機構
５３・・・サーボ信号生成部
５４・・・再生信号生成部
５５・・・再生信号２値化部
５６・・・エンコード部
５７・・・デコード部
６０・・・ＡＦＥ
６１・・・信号品質測定部
６２・・・レーザ制御部
１０００・・・アーカイブ装置
１００１・・・ホストコンピュータ
１００２・・・バス
１００３・・・ホストサーバ
１００４・・・インターフェース
１００５・・・バス
１００６・・・情報記録再生装置
１００３０１・・・アーカイブ装置制御部
１００３０４・・・インターフェース
１００３０５・・・インターフェース
１００６０１・・・情報記録再生装置制御部
【図１】
2013222470.tif 000003
【図２】
2013222470.tif 000004
【図３】
2013222470.tif 000005
【図４】
2013222470.tif 000006
【図５】
2013222470.tif 000007
【図６】
2013222470.tif 000008
【図７】
2013222470.tif 000009
【図８】
2013222470.tif 000010
【図９】
2013222470.tif 000011
【図１０】
2013222470.tif 000012
【図１１】
2013222470.tif 000013
【図１２】
2013222470.tif 000014
【図１３】
2013222470.tif 000015
【図１４】
2013222470.tif 000016